(57)【特許請求の範囲】
【請求項１】
無線送／受信装置（ＷＴＲＵ）であって、
媒体アクセス制御（ＭＡＣ）プロトコルデータユニット（ＰＤＵｓ）を、複数の専用チャンネルの各々について生成するように構成されたプロセッサを備え、
前記プロセッサが、論理チャンネルについて、ＭＡＣサービスデータユニット（ＳＤＵｓ）の少なくとも一つのＭＡＣ  ＳＤＵを、該少なくとも一つのＭＡＣ  ＳＤＵが大きすぎてペイロードサイズに収まらない場合に、セグメントに分割するようにさらに構成され、
前記プロセッサが、前記少なくとも一つのＭＡＣ  ＳＤＵのセグメントを別の少なくとも一つのＭＡＣ  ＳＤＵまたは該別の少なくとも一つのＭＡＣ  ＳＤＵのセグメントに連結することによって、第１のＭＡＣ  ＰＤＵを生成するようにさらに構成され、ここで、該第１のＭＡＣ  ＰＤＵが伝送シーケンス番号（ＴＳＮ）およびセグメンテーション記述フィールドを含んでおり、ここで、可能性のある該セグメンテーション記述フィールドの値が、該第１のＭＡＣ  ＰＤＵが前記少なくとも一つのＭＡＣ  ＳＤＵのセグメントにおいて終了すること、および、前記少なくとも一つのＭＡＣ  ＳＤＵの残りのセグメントが別の第１のＭＡＣ  ＰＤＵにおいて連結されることを指示し、並びに、
前記プロセッサが、複数の第１のＭＡＣ  ＰＤＵを送信のために第２のＭＡＣ  ＰＤＵに多重化するようにさらに構成される、ＷＴＲＵ。
【請求項２】
前記少なくとも一つのＭＡＣ  ＰＤＵが無線リンクコントロール（ＲＬＣ）ＰＤＵである、請求項１に記載のＷＴＲＵ。
【請求項３】
前記少なくとも一つのＭＡＣ  ＳＤＵの前記残りのセグメントを格納するように構成された少なくとも一つのバッファをさらに備える、請求項１に記載のＷＴＲＵ。
【請求項４】
一つのバッファが複数のセグメンテーションエンティティと関連付けられる、請求項３に記載のＷＴＲＵ。
【請求項５】
前記ＭＡＣ  ＳＤＵの前記残りのセグメントを、論理チャンネルから受信されるＭＡＣ  ＳＤＵよりも高い優先度で処理する、請求項１に記載のＷＴＲＵ。
【請求項６】
結果として生じるセグメントが最小セグメントサイズよりも大きい場合に、前記少なくとも一つのＭＡＣ  ＳＤＵをセグメントに分割する、請求項１に記載のＷＴＲＵ。
【請求項７】
可能性のある前記セグメンテーション記述フィールドの値は、前記セグメントが前記第１のＭＡＣ  ＰＤＵに含まれるか否かを指示する、請求項１に記載のＷＴＲＵ。
【請求項８】
無線送／受信装置（ＷＴＲＵ）において実施される方法であって、
媒体アクセス制御（ＭＡＣ）プロトコルデータユニット（ＰＤＵｓ）を、複数の専用チャンネルの各々について生成すること、
論理チャンネルについて、ＭＡＣサービスデータユニット（ＳＤＵｓ）の少なくとも一つのＭＡＣ  ＳＤＵを、該少なくとも一つのＭＡＣ  ＳＤＵが大きすぎてペイロードサイズに収まらない場合に、セグメントに分割すること、
前記少なくとも一つのＭＡＣ  ＳＤＵのセグメントを別の少なくとも一つのＭＡＣ  ＳＤＵまたは該別の少なくとも一つのＭＡＣ  ＳＤＵのセグメントに連結することによって、第１のＭＡＣ  ＰＤＵを生成すること、ここで、該第１のＭＡＣ  ＰＤＵが伝送シーケンス番号（ＴＳＮ）およびセグメンテーション記述フィールドを含んでおり、ここで、可能性のある該セグメンテーション記述フィールドの値が、該第１のＭＡＣ  ＰＤＵが前記少なくとも一つのＭＡＣ  ＳＤＵのセグメントにおいて終了すること、および、前記少なくとも一つのＭＡＣ  ＳＤＵの残りのセグメントが別の第１のＭＡＣ  ＰＤＵにおいて連結されることを指示し、並びに、
複数の第１のＭＡＣ  ＰＤＵを送信のために第２のＭＡＣ  ＰＤＵに多重化すること、
を含む方法。
【請求項９】
前記少なくとも一つのＭＡＣ  ＰＤＵが無線リンクコントロール（ＲＬＣ）ＰＤＵである、請求項８に記載の方法。
【請求項１０】
前記少なくとも一つのＭＡＣ  ＳＤＵの前記残りのセグメントを格納することさらに含む、請求項８に記載の方法。
【請求項１１】
前記少なくとも一つのＭＡＣ  ＳＤＵの前記残りのセグメントをバッファに格納する、請求項１０に記載の方法。
【請求項１２】
前記ＭＡＣ  ＳＤＵの前記残りのセグメントを、論理チャンネルから受信されるＭＡＣ  ＳＤＵよりも高い優先度で処理する、請求項８に記載の方法。
【請求項１３】
結果として生じるセグメントが最小セグメントサイズよりも大きい場合に、前記少なくとも一つのＭＡＣ  ＳＤＵをセグメントに分割する、請求項８に記載の方法。
【請求項１４】
可能性のある前記セグメンテーション記述フィールドの値は、前記セグメントが前記第１のＭＡＣ  ＰＤＵに含まれるか否かを指示する、請求項８に記載の方法。
【発明の詳細な説明】
【技術分野】
【０００１】
この出願は無線通信に関する。
【背景技術】
【０００２】
３ＧＰＰ（Third Generation Partnership Project）Ｒｅｌｅａｓｅ  ６は、高速アップリンクパケットアクセス（ＨＳＵＰＡ）を導入して、アップリンク伝送により高いデータ転送速度をもたらした。アップリンク（ＵＬ）データをより高速に搬送するため、ＨＳＵＰＡの一環として、新しいトランスポートチャネルである拡張専用チャネル（Ｅ−ＤＣＨ：enhanced dedicated channel）が導入された。Ｅ−ＤＣＨと共に、新しいＭＡＣサブレイヤが、Ｅ−ＤＣＨトランスポートチャネルを制御するために全無線送信／受信ユニット（ＷＴＲＵ）内に導入された。新しいＭＡＣサブレイヤは、ＭＡＣ−ｅ／ｅｓである。より具体的には、ＭＡＣ−ｅ／ｅｓは、Ｅ−ＤＣＨで伝送されるデータを処理するＭＡＣエンティティである。上位レイヤは、Ｅ−ＤＣＨ機能を処理するためにＭＡＣ−ｅ／ｅｓがどのように適用されるべきかを構成する。
【０００３】
ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）Ｍａｃ−ｅレイヤアーキテクチャのブロック図が図１に示され、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）Ｍａｃ−ｅｓレイヤアーキテクチャのブロック図が図２に示され、ＷＴＲＵ  Ｍａｃ−ｅ／ｅｓレイヤアーキテクチャのブロック図が図３に示される。
【０００４】
Ｅ−ＤＣＨを使用する各ＷＴＲＵについて、サービス提供無線ネットワークコントローラ（ＳＲＮＣ）内にＮｏｄｅＢ当たり１つのＭＡＣ−ｅエンティティおよび１つのＭＡＣ−ｅｓエンティティが構成される。
【０００５】
図１は、ＵＴＲＡＮ  ＭＡＣ−ｅ１００およびＥ−ＤＣＨスケジューリングエンティティ１１０を示す。ＭＡＣ−ｅ１００は、ＮｏｄｅＢ内に配置され、Ｅ−ＤＣＨへのアクセスを制御する。各ＷＴＲＵについて、ＮｏｄｅＢに１つのＭＡＣ−ｅ１００がある。ＮｏｄｅＢには、Ｅ−ＤＣＨスケジューリングエンティティ１１０が１つしかない。Ｅ−ＤＣＨスケジューリングエンティティ１１０は、ＷＴＲＵ間のＥ−ＤＣＨセルリソースを管理する。
【０００６】
図１に示されるＵＴＲＡＮ  ＭＡＣ−ｅ１００は、Ｅ−ＤＣＨ制御エンティティ１２０、多重分離エンティティ１３０、および、ハイブリッド自動再送要求エンティティ（ＨＡＲＱ）エンティティ１４０を備える。ＭＡＣ−ｅ１００およびＥ−ＤＣＨスケジューリングエンティティ１１０は、ＮｏｄｅＢのＨＳＵＰＡ固有の機能を処理する。
【０００７】
図２に示されるＵＴＲＡＮ  ＭＡＣ−ｅｓ２００は、再配列キュー配信エンティティ２１０、再配列／結合エンティティ２２０、および、逆アセンブリエンティティ２３０を備える。ＵＴＲＡＮ  ＭＡＣ−ｅｓ２００はさらに、複数のＮｏｄｅＢとのソフトハンドオーバーがあるとき、ＦＤＤモードのマクロダイバーシティ選択エンティティを備える。ＭＡＣ−ｅｓ２００はＳＲＮＣ内に配置され、ＮｏｄｅＢのＭＡＣ−ｅでカバーされないＥ−ＤＣＨ指定機能を処理する。ＭＡＣ−ｅｓ２００は、ＭＡＣ−ｅとＭＡＣ−ｄの両方に接続される。
【０００８】
図３は、ＷＴＲＵ  ＭＡＣ−ｅ／ｅｓのレイヤアーキテクチャを示すブロック図である。ＷＴＲＵ  ＭＡＣ−ｅ／ｅｓ３００は、ＨＡＲＱエンティティ３１０、多重化および伝送シーケンス番号（ＴＳＮ）設定エンティティ３２０、並びに、拡張トランスポートフォーマットコンビネーション（Ｅ−ＴＦＣ）選択エンティティ３３０を備える。
【０００９】
ＨＡＲＱエンティティ３１０は、ＨＡＲＱプロトコルに関連するＭＡＣ機能を処理する。具体的には、ＨＡＲＱエンティティ３１０は、ＭＡＣ−ｅペイロードの格納およびそれらの再伝送に責任を負う。ＨＡＲＱプロトコルの詳細な構成は、ＭＡＣ制御サービスアクセスポイント（ＳＡＰ）上の無線リソース制御（ＲＲＣ）によってもたらされる。
【００１０】
多重化およびＴＳＮ設定エンティティ３２０は、複数のＭＡＣ−ｄプロトコルデータユニット（ＰＤＵ）をＭＡＣ−ｅｓ  ＰＤＵに連結する。さらに、多重化およびＴＳＮ設定エンティティ３２０は、１つまたは複数のＭＡＣ−ｅｓＰＤＵを単一のＭＡＣ−ｅ  ＰＤＵに多重化し、Ｅ−ＴＦＣ選択エンティティ３３０によって指示されるように、次の伝送時間間隔（ＴＴＩ）に伝送されるようにする。多重化およびＴＳＮ設定エンティティ３２０はまた、各ＭＡＣ−ｅｓ  ＰＤＵについて論理チャネルごとにＴＳＮの管理および設定を行なう責任も負う。
【００１１】
Ｅ−ＴＦＣ選択エンティティ３３０は、スケジューリング情報、Ｌ１シグナリングを介してＵＴＲＡＮから受信した相対許可および絶対許可、並びに、ＲＲＣを通じてシグナリングされたサービス提供許可値に従って、Ｅ−ＴＦＣ選択を行なう責任を負う。Ｅ−ＴＦＣ選択エンティティ３３０はまた、Ｅ−ＤＣＨでマップされた種々フロー間のアービトレーションを行なう責任も負う。Ｅ−ＴＦＣ選択エンティティ３３０の詳細な構成は、ＭＡＣ制御ＳＡＰ上のＲＲＣによってもたらされる。前述のように、Ｅ−ＴＦＣ選択エンティティ３３０は、多重化およびＴＳＮ設定エンティティ３２０の多重化機能を制御する。
【００１２】
現在、ＭＡＣ−ｅ／ｅｓは、各論理チャネルから複数のＭＡＣサービスデータユニット（ＳＤＵ）を選択し、伝送のためにＭＡＣ  ＳＤＵを単一のＭＡＣ−ｅ  ＰＤＵに多重化する。既存のＭＡＣ−ｅ／ｅｓプロトコルは、ＲＬＣが１つまたは複数の事前定義されたサイズでＰＤＵを配信するように構成されるということに依存している。残念なことに、事前定義されたＰＤＵサイズを使用すると、より高いデータ転送速度でオーバーヘッドを生じることになる。
【発明の概要】
【発明が解決しようとする課題】
【００１３】
したがって、無線リンク制御（ＲＬＣ）レイヤにおける柔軟なＰＤＵサイズ、並びに、ＭＡＣレイヤにおけるＰＤＵセグメンテーションを可能にするＵＴＲＡＮおよびＷＴＲＵのいずれにおいて改良されたＭＡＣ−ｅ／ｅｓアーキテクチャが必要とされている。柔軟なＰＤＵサイズおよびＰＤＵセグメンテーションを使用することで、ＵＬにおけるより高いデータ転送速度を可能にし、ＵＬ伝送のヘッダーオーバーヘッドを軽減することができる。
【課題を解決するための手段】
【００１４】
ＭＡＣサブレイヤにサブミットされるデータを含むサービスデータユニット（ＳＤＵ）は、上位レイヤによって作成される。ＷＴＲＵがＥ−ＤＣＨを使用するように構成される場合、ＭＡＣ  ＳＤＵはＷＴＲＵの拡張ＭＡＣ−ｅ／ｅｓサブレイヤに渡されるが、これはＥ−ＤＣＨで伝送されるデータを制御する。拡張ＭＡＣ−ｅｓ  ＰＤＵは、論理チャネルから受信されたＭＡＣ  ＳＤＵを連結することによって拡張ＭＡＣ−ｅ／ｅｓサブレイヤで作成される。拡張ＭＡＣ−ｅｓ  ＰＤＵは、伝送シーケンス番号（ＴＳＮ）を割り当てられ、その後Ｅ−ＤＣＨで伝送するために単一の拡張ＭＡＣ−ｅ  ＰＤＵに多重化される。拡張トランスポートフォーマットコンビネーション（Ｅ−ＴＦＣ）選択エンティティは、ＭＡＣ  ＳＤＵの拡張ＭＡＣ−ｅｓ  ＰＤＵへの連結を制御する。大きすぎて選択された拡張ＭＡＣ−ｅｓ  ＰＤＵペイロードには収まらないＭＡＣ  ＳＤＵが受信された場合、セグメンテーションエンティティは、ＭＡＣ  ＳＤＵセグメントが選択された拡張ＭＡＣ−ｅｓ  ＰＤＵで使用可能な残りのペイロードを満たすように、ＭＡＣ  ＳＤＵをセグメントに分割する。次いで、拡張ＭＡＣ−ｅｓ  ＰＤＵは他の拡張ＭＡＣ−ｅｓ  ＰＤＵと多重化されて、次のＴＴＩにＥ−ＤＣＨで伝送される単一の拡張ＭＡＣ−ｅ  ＰＤＵを作成する。ＨＡＲＱエンティティは拡張ＭＡＣ−ｅ  ＰＤＵを格納し、伝送エラーが発生した場合、必要に応じてこれを再伝送する。
【００１５】
ＭＡＣ  ＳＤＵがセグメントに分割されるとき、次の拡張ＭＡＣ−ｅｓ  ＰＤＵに含まれていないＭＡＣ  ＳＤＵの残りのセグメントを、セグメンテーションバッファまたはセグメンテーションエンティティに格納してもよい。次いで、格納された残りのセグメントは、後続の拡張ＭＡＣ−ｅｓ  ＰＤＵに含められる。後続の伝送で、ＭＡＣ  ＳＤＵの残りのセグメントが拡張ＭＡＣ−ｅｓペイロードに対して大きすぎる場合、この残りのセグメントは再びセグメントに分割される。１つの実施形態において、バッファに入れられたＭＡＣ  ＳＤＵセグメントは、拡張ＭＡＣ−ｅｓ  ＰＤＵが作成されているとき、優先的に扱われる。セグメンテーションエンティティは、ＭＡＣ−ｅｓ  ＰＤＵに含めるために論理チャネルにさらに多くの情報が要求される前に空にされる。セグメンテーションエンティティは、論理チャネルごとに備えられてもよいし、または別法として、単一セグメンテーションエンティティがすべての論理チャネルに対してＭＡＣ−ｄ  ＰＤＵセグメントを格納するために備えられてもよい。後者の場合、一度に１つの論理チャネルからのセグメントだけをセグメンテーションエンティティに格納してもよい。セグメンテーションエンティティ内のデータが伝送されるまで、別の論理チャネルで他のセグメンテーションプロセスが行なわれてはならない。セグメンテーションが行なわれるとき、拡張ＭＡＣ−ｅｓ  ＰＤＵは、ＴＳＮに加えてセグメンテーション記述を含むことができる。セグメンテーション記述は、セグメントが拡張ＭＡＣ−ｅｓ  ＰＤＵに含まれるかどうか、および、さらにセグメントが後に続くかどうかを指示する。
【００１６】
ＵＴＲＡＮにおいて、ＭＡＣ  ＳＤＵまたはそのセグメントを含む拡張ＭＡＣ−ｅ  ＰＤＵは、ＮｏｄｅＢに配置される拡張ＭＡＣ−ｅサブレイヤにおいて拡張ＭＡＣ−ｅｓ  ＰＤＵに多重分離される。多重分離された後、拡張ＭＡＣ−ｅｓ  ＰＤＵは、ＲＮＣに配置される拡張ＭＡＣ−ｅｓサブレイヤにおいて処理される。拡張ＭＡＣ−ｅｓ  ＰＤＵは、再配列キュー配信エンティティのそれらの関連するキューによって再配列され、その後、それらのＴＳＮに従って論理チャネルごとにシーケンス番号により再配列される。次いで、逆アセンブリエンティティは、連結されたＭＡＣ  ＳＤＵおよび／またはＭＡＣ  ＳＤＵセグメントを逆アセンブルする。再アセンブリエンティティは、ＭＡＣ  ＳＤＵセグメントを完全ＭＡＣ  ＳＤＵに再アセンブルし、その後、すべての完全ＭＡＣ  ＳＤＵを適正な上位レイヤエンティティに方向付ける。
【００１７】
さらに詳細な理解は、添付の図面と併せて一例として示した、以下の説明から得ることができる。
【図面の簡単な説明】
【００１８】
【図１】従来技術のＵＴＲＡＮ  ＭＡＣ／ｅを示す図である。
【図２】従来技術のＵＴＲＡＮ  ＭＡＣ／ｅｓを示す図である。
【図３】従来技術のＷＴＲＵ  ＭＡＣ−ｅ／ｅｓを示す図である。
【図４】第１実施形態によるＷＴＲＵ拡張ＭＡＣ−ｅ／ｅｓを示すブロック図である。
【図５】第２実施形態によるＷＴＲＵ拡張ＭＡＣ−ｅ／ｅｓを示すブロック図である。
【図６】第１実施形態によるＵＴＲＡＮ拡張ＭＡＣ−ｅｓを示すブロック図である。
【図７】第２実施形態によるＵＴＲＡＮ拡張ＭＡＣ−ｅｓを示すブロック図である。
【図８】第１実施形態によるＵＴＲＡＮ拡張ＭＡＣ−ｅを示すブロック図である。
【図９】第１実施形態によるＵＴＲＡＮ拡張ＭＡＣ−ｅｓを示すブロック図である。
【図１０】第３実施形態によるＷＴＲＵ拡張ＭＡＣ−ｅ／ｅｓを示すブロック図である。
【図１１】ＭＡＣレイヤにおけるパケットのセグメンテーションの方法を示すブロック図である。
【発明を実施するための形態】
【００１９】
これ以降「無線送信／受信ユニット（ＷＴＲＵ）」という用語に言及する場合、これはユーザ機器（ＵＥ）、移動局、固定もしくは移動加入者ユニット、ページャー、携帯電話、携帯情報端末（ＰＤＡ）、コンピュータ、または無線環境において動作することのできる他の任意の種類のユーザ装置を含むが、これらに限定するわけではない。これ以降「基地局」という用語に言及する場合、これはＮｏｄｅ  Ｂ、サイトコントローラ、アクセスポイント（ＡＰ）、または無線環境において動作することのできる他の任意の種類のインターフェイス接続装置を含むが、これらに限定するわけではない。
【００２０】
図４は、第１実施形態によるＷＴＲＵ拡張ＭＡＣ−ｅ／ｅｓ４００を示すブロック図である。ＷＴＲＵ拡張ＭＡＣ−ｅ／ｅｓ４００は、ＨＡＲＱエンティティ４１０、多重化およびＴＳＮ設定エンティティ４２０、Ｅ−ＴＦＣ選択エンティティ４３０、および、少なくとも１つのセグメンテーションエンティティ４４０、４４０ｎを備える。
【００２１】
ＨＡＲＱエンティティ４１０は、ＭＡＣ−ｅ  ＰＤＵを格納して、それらを再伝送するように構成される。ＨＡＲＱプロトコルの詳細な構成は、ＭＡＣ制御サービスアクセスポイント（ＳＡＰ）上の無線リソース制御（ＲＲＣ）によってもたらされる。
【００２２】
多重化およびＴＳＮ設定エンティティ４２０は、複数のＭＡＣ  ＳＤＵまたはそのセグメントを拡張ＭＡＣ−ｅｓ  ＰＤＵに連結するように構成される。１つの実施形態において、多重化およびＴＳＮ設定エンティティ４２０は、Ｅ−ＴＦＣ選択エンティティ４３０によって指示されたように、ＭＡＣ  ＳＤＵが大きすぎて特定の論理チャネルの選択されたペイロードサイズに収まらない場合、拡張ＭＡＣ−ｅｓ  ＰＤＵを満たすようにＭＡＣ  ＳＤＵをセグメントに分割してもよい。
【００２３】
さらに、多重化およびＴＳＮ設定エンティティ４２０は、Ｅ−ＴＦＣ選択エンティティ４３０によって指示されたように、１つまたは複数の拡張ＭＡＣ−ｅｓ  ＰＤＵを単一の拡張ＭＡＣ−ｅ  ＰＤＵに多重化して、次のＴＴＩに伝送されるように構成される。多重化およびＴＳＮ設定エンティティ４２０はさらに、各拡張ＭＡＣ−ｅｓ  ＰＤＵについて論理チャネルごとにＴＳＮの管理および設定を行なうように構成される。
【００２４】
Ｅ−ＴＦＣ選択エンティティ４３０は、スケジューリング情報、Ｌ１シグナリングを介してＵＴＲＡＮから受信した相対許可および絶対許可、並びに、ＲＲＣを通じてシグナリングされたサービス提供許可値に従って、Ｅ−ＴＦＣ選択を制御するように構成される。
Ｅ−ＴＦＣ選択エンティティ４３０はさらに、Ｅ−ＤＣＨでマップされた種々のフローのアービトレーションを行なうように構成される。Ｅ−ＴＦＣ選択エンティティ４３０の詳細な構成はＭＡＣ制御ＳＡＰ上のＲＲＣによってもたらされる。前述のように、Ｅ−ＴＦＣ選択エンティティ４３０は、多重化およびＴＳＮ設定エンティティ４２０の多重化機能を制御する。
【００２５】
前述のように、ＷＴＲＵ拡張ＭＡＣ−ｅ／ｅｓは、少なくとも１つのセグメンテーションエンティティ４４０、４４０ｎを備える。より具体的には、各ＷＴＲＵ内には論理チャネルごとに１つのセグメンテーションエンティティ４４０、４４０ｎがある。セグメンテーションエンティティ４４０、４４０ｎは、ＭＡＣ  ＳＤＵをセグメントに分割するように構成される。図４に示されるように、１つの実施形態において、ＭＡＣ  ＳＤＵのセグメンテーションは、ＵＬ伝送の多重化およびＴＳＮ設定の前に行なわれてもよい。
【００２６】
セグメンテーションエンティティ４４０、４４０ｎは、Ｅ−ＴＦＣ選択エンティティ４３０によって指示されたように、ＳＤＵが大きすぎて選択された拡張ＭＡＣ−ｅペイロードに収まらない場合、ＭＡＣ  ＳＤＵをセグメントに分割してもよい。後続の伝送について、Ｅ−ＴＦＣ選択エンティティ４３０によって指示されたように、ＭＡＣ  ＳＤＵの残りのセグメントが大きすぎて選択された拡張ＭＡＣ−ｅペイロードに収まらない場合、この残りのセグメントは再びセグメントに分割されてもよい。さらに、セグメンテーションエンティティ４４０、４４０ｎは、論理チャネルごとに残りのペイロードに基づいてＭＡＣ  ＳＤＵをセグメントに分割してもよい。
【００２７】
各セグメンテーションエンティティ４４０、４４０ｎは、ＭＡＣ  ＳＤＵのセグメンテーション後に、ＭＡＣ  ＳＤＵのセグメントを格納するように構成されたバッファを備えることができる。ＭＡＣ  ＳＤＵのセグメンテーション後、ＭＡＣ  ＳＤＵのセグメントは伝送され、残りのセグメントはバッファに格納される。好ましい実施形態において、各バッファは、任意の所定の時間において多くとも１つのＭＡＣ  ＳＤＵに属するデータを含む。
【００２８】
或いは、１つの論理チャネルのみからのデータを含むすべてのセグメンテーションエンティティ４４０、４４０ｎにはバッファが１つしかないこともある。その結果、ＭＡＣ  ＳＤＵは、バッファ内のデータが伝送されるまで、いかなる別の論理チャネルに対してもセグメントに分割されてはならない。
【００２９】
好ましくは、多重化およびＴＳＮ設定エンティティ４２０は、論理チャネルの拡張ＭＡＣ−ｅｓ  ＳＤＵを作成するとき、ＭＡＣ  ＳＤＵの格納されているセグメントを優先させるように構成される。多重化およびＴＳＮ設定エンティティ４２０は、このＭＡＣ  ＳＤＵが属する論理チャネルにさらに多くのデータを要求する前に、拡張ＭＡＣ−ｅｓ  ＰＤＵにＭＡＣ  ＳＤＵの格納されているセグメントを含む。すべての格納されたＭＡＣ  ＳＤＵセグメントが拡張ＭＡＣ−ｅｓ  ＰＤＵに含められると、論理チャネルにさらに多くのデータが要求されてもよい。この実施形態によれば、論理チャネル当たりの２つのＭＡＣ  ＳＤＵセグメントの最大は、１つの拡張ＭＡＣ−ｅ  ＰＤＵに含まれてもよい。
【００３０】
図５は、第２実施形態によるＷＴＲＵ拡張ＭＡＣ−ｅ／ｅｓ５００を示すブロック図である。ＷＴＲＵ拡張ＭＡＣ−ｅ／ｅｓ５００は、ＨＡＲＱエンティティ５１０、セグメンテーション、多重化およびＴＳＮ設定エンティティ５２０、および、Ｅ−ＴＦＣ選択エンティティ５３０を備える。第１実施形態とは対照的に、セグメント化エンティティは、セグメンテーション、多重化およびＴＳＮ設定エンティティ５２０を形成する多重化およびＴＳＮ設定エンティティに組み入れられる。セグメンテーション、多重化およびＴＳＮ設定エンティティ５２０は、各論理チャネルに対して１つのバッファを有することができる。或いは、セグメンテーション、多重化およびＴＳＮ設定エンティティ５２０は、すべての論理チャネルに対して１つのバッファを有することができる。
【００３１】
上記で説明されているセグメンテーションエンティティの導入に伴い、作成された拡張ＭＡＣ−ｅｓ  ＰＤＵは、ＴＳＮフィールドに加えてセグメンテーション記述またはセグメンテーション状態フィールドを含むことができる。セグメンテーション記述フィールドは、セグメントが作成された拡張ＭＡＣ−ｅｓ  ＰＤＵに含まれるかどうかを指示することができる。加えて、セグメンテーション記述フィールドは、追加のセグメントが期待されるかどうかを指示することができる。
【００３２】
ＷＴＲＵ拡張ＭＡＣ−ｅ／ｅｓのセグメンテーション機能に制約が課されてもよい。例えば、以下の制約のいずれか１つが、ＷＴＲＵ拡張ＭＡＣ−ｅ／ｅｓのセグメンテーション機能を制約するために、個別にまたは別の制約と組み合わせて使用されてもよい。
【００３３】
ＷＴＲＵ拡張ＭＡＣ−ｅ／ｅｓのセグメンテーション機能のサポートは、論理チャネル用、ＭＡＣ−ｄフロー用、または全ＷＴＲＵ拡張ＭＡＣ−ｅ／ｅｓ用に構成されてもよい。例えば、２つの論理チャネル、専用制御チャネル（ＤＣＣＨ）、および、専用トラフィックチャネル（ＤＴＣＨ）がＥ−ＤＣＨで引き継がれ、ＤＴＣＨに対してのみセグメンテーション機能が許容されてもよくセグメンテーション機能はＤＣＣＨに対して許容されてはならないか、またはその逆であってもよい。ＷＴＲＵ拡張ＭＡＣ−ｅ／ｅｓはＬ３シグナリングを使用してセグメンテーション機能をサポートするように構成されてもよいし、または、セグメンテーション機能をサポートするように事前に構成されてもよい。
【００３４】
加えて、ＣＥＬＬ＿ＤＣＨ状態以外の状態で使用される論理チャネルは、セグメンテーション機能をサポートしないように構成されてもよい。例えば、セグメンテーション機能をサポートしないように共通制御チャネル（ＣＣＣＨ）が構成されてもよい。さらに、論理チャネルに対して、再配列機能または再アセンブリ機能が実行されないように拡張ＭＡＣ−ｅｓが構成されてもよい。その結果、拡張ＭＡＣ−ｅｓは、連結が実行されていた場合、ＰＤＵを逆アセンブルすることしかできない。
【００３５】
オプションの実施形態として、ＷＴＲＵ拡張ＭＡＣ−ｅ／ｅｓは、拡張ＭＡＣ−ｅ／ｅｓ  ＰＤＵのヘッダーのＴＳＮ番号を挿入しないように構成されてもよいし、拡張ＭＡＣ−ｅ／ｅｓ  ＰＤＵのヘッダーのＴＳＮ番号を増分しないように構成されてもよい。また、ＵＴＲＡＮ拡張ＭＡＣ−ｅおよびＵＴＲＡＮ  ＭＡＣ／ｅｓは、セグメンテーション機能をサポートしないように構成されてもよい。
【００３６】
さらに、ＷＴＲＵ拡張ＭＡＣ−ｅ／ｅｓのセグメンテーション機能のサポートは、スケジューリング対象のフロー、または別法としてスケジューリング対象外のフローについてのみサポートされてもよい。例えば、第２のサービスがスケジューリング対象の許可にマップされるのと同時に、第１のサービスがスケジューリング対象外の許可にマップされる場合、セグメンテーション機能は、スケジューリング対象の第２のサービスではなく、スケジューリング対象外の第１のサービスについてのみ許されてもよい。
【００３７】
さらに、ＷＴＲＵ拡張ＭＡＣ−ｅ／ｅｓのセグメンテーション機能を制限するために、種々のセグメンテーションしきい値が定義されてもよい。最小ＳＤＵサイズは、最小ＳＤＵサイズよりも小さい如何なるＭＡＣ  ＳＤＵもセグメントに分割されないように、セグメンテーションが許容されるＭＡＣ  ＳＤＵサイズとして定義されてもよい。最小セグメントサイズは、残りのセグメントが最小セグメントサイズよりも小さい場合、ＷＴＲＵ拡張ＭＡＣ−ｅ／ｅｓがＭＡＣ  ＳＤＵをセグメントに分割することを制限されるように、ＭＡＣ  ＳＤＵセグメントの最小サイズとして定義されてもよい。最大セグメントサイズしきい値は、ＭＡＣ  ＳＤＵセグメントの最大サイズとして定義されてもよい。
【００３８】
加えて、その他の制限がセグメンテーション機能に課されてもよい。例えば、セグメントに分割され得る論理チャネルの数に対する制限があってもよい。さらに、論理チャネルに入れられるＭＡＣ  ＳＤＵセグメントの数が制限されてもよい。
【００３９】
図６は、第１実施形態によるＵＴＲＡＮ拡張ＭＡＣ−ｅｓ６００を示すブロック図である。ＵＴＲＡＮ拡張ＭＡＣ−ｅｓ６００は、再配列キュー配信エンティティ６１０、再配列／結合エンティティ６２０、逆アセンブリエンティティ６３０、および、再アセンブリエンティティ６４０を備える。ＭＡＣ−ｅｓまたは拡張ＭＡＣ−ｅｓ６００は、ＳＲＮＣまたは制御無線ネットワークコントローラ（ＣＲＮＣ）内に配置され、ＮｏｄｅＢのＭＡＣ−ｅまたは拡張ＭＡＣ−ｅでカバーされないＥ−ＤＣＨ指定機能を処理する。より具体的には、ＭＡＣ−ｅｓおよび拡張ＭＡＣ−ｅｓは、セグメントに分割されたＭＡＣ  ＳＤＵの再アセンブリを実行する。各ＷＴＲＵについて、ＳＲＮＣに１つの拡張ＭＡＣ−ｅｓがある。
【００４０】
再配列キュー配信エンティティ６１０は、拡張ＭＡＣ−ｅｓ  ＰＤＵを、ＳＲＮＣまたは制御無線ネットワークコントローラ（ＣＲＮＣ）構成に基づいて、正しい再配列バッファにルーティングするように構成される。
【００４１】
再配列／結合エンティティ６２０は、受信したＴＳＮおよびＮｏｄｅＢタグに従って、受信した拡張ＭＡＣ−ｅｓ  ＰＤＵを再配列するように構成される。ＮｏｄｅＢタグは、接続フレーム番号（ＣＦＮ）またはサブフレーム番号を含むことができる。拡張ＭＡＣ−ｅｓ  ＰＤＵを受信した後、連続するＴＳＮを持つ拡張ＭＡＣ−ｅｓ  ＰＤＵは、逆アセンブリエンティティ６３０に配信される。各論理チャネルは再配列／結合エンティティ６２０を有する。順序が乱れて受信される拡張ＭＡＣ−ｅｓ  ＰＤＵは、当業者には明らかな多数の方法で再配列されてもよい。
【００４２】
逆アセンブリエンティティ６３０は、拡張ＭＡＣ−ｅｓ  ＰＤＵを逆アセンブルするように構成される。拡張ＭＡＣ−ｅｓ  ＰＤＵの逆アセンブリは、拡張ＭＡＣ−ｅｓヘッダーの削除を含む。逆アセンブルされた拡張ＭＡＣ−ｅｓ  ＰＤＵは、複数のＭＡＣ  ＳＤＵまたはそのセグメントを含むことができる。
【００４３】
再アセンブリエンティティ６４０は、セグメントに分割されたＭＡＣ  ＳＤＵを再アセンブルして、それらのＳＤＵを正しい上位レイヤエンティティに配信するように構成される。再アセンブリエンティティ６４０は再配列／結合エンティティ６２０に結合される。
再アセンブリエンティティ６４０は、セグメントに分割されたＭＡＣ  ＳＤＵを再アセンブルして、マクロダイバーシティ再配列／結合が実行された後、それらの再アセンブルされたＳＤＵを正しい上位レイヤエンティティに配信するように構成される。その結果、再アセンブリエンティティ６４０によって受信されたパケットは順序正しくなっており、セグメントに分割されている場合は再結合されてもよい。
【００４４】
ＵＴＲＡＮ拡張ＭＡＣ−ｅｓ６００はさらに、複数のＮｏｄｅＢとのソフトハンドオーバーがあるとき、ＦＤＤモードのマクロダイバーシティ選択エンティティを備える。その結果、再配列／結合エンティティ６２０は、Ｅ−ＤＣＨアクティブセットの各ＮｏｄｅＢから拡張ＭＡＣ−ｅｓ  ＰＤＵを受信する。
【００４５】
図６に示されているように、好ましい実施形態において、逆アセンブリエンティティ６３０は再アセンブリエンティティ６４０の前に配置される。逆アセンブリエンティティ６３０はさらに、拡張ＭＡＣ−ｅｓ  ＰＤＵを逆アセンブルして、逆アセンブルされたＭＡＣ  ＳＤＵまたはそのセグメントを再アセンブリエンティティ６４０に転送するように構成される。次いで、再アセンブリエンティティ６４０は、セグメントに分割されたＳＤＵを再アセンブルして、すべての完全ＳＤＵを上位レイヤに転送するように構成される。
【００４６】
図７は、第２実施形態によるＵＴＲＡＮ拡張ＭＡＣ−ｅｓ７００を示すブロック図である。ＵＴＲＡＮ拡張ＭＡＣ−ｅｓ７００は、再配列キュー配信エンティティ７１０、再配列／結合エンティティ７２０、および、再アセンブリエンティティ７３０を備える。第１実施形態とは対照的に、再アセンブリエンティティ７３０のみが拡張ＭＡＣ−ｅｓ７００に導入される。しかし、再アセンブリエンティティ７３０は、図６で先に説明されている逆アセンブリエンティティの機能を含む。
【００４７】
図８は、ＭＡＣ−ｅ８００およびＥ−ＤＣＨスケジューリングエンティティ８１０を示すブロック図である。前述のように、拡張ＭＡＣ−ｅ８００はＮｏｄｅＢ内に配置され、Ｅ−ＤＣＨへのアクセスを制御する。ＮｏｄｅＢには、Ｅ−ＤＣＨスケジューリングエンティティ８１０は１つしかない。Ｅ−ＤＣＨスケジューリングエンティティ８１０は、ＷＴＲＵ間のＥ−ＤＣＨセルリソースを管理するように構成される。スケジューリング要求に基づいてスケジューリング許可が決定され、Ｅ−ＤＣＨスケジューリングエンティティ８１０から伝送される。拡張ＭＡＣ−ｅは拡張ＭＡＣ−ｅｓに接続される。拡張ＭＡＣ−ｅ８００およびＥ−ＤＣＨスケジューリングエンティティ８１０は、ＮｏｄｅＢのＨＳＵＰＡ固有の機能を処理する。
【００４８】
図８に示されるＵＴＲＡＮ拡張ＭＡＣ−ｅ８００は、Ｅ−ＤＣＨ制御エンティティ８２０およびＨＡＲＱエンティティ８４０を備える。Ｅ−ＤＣＨ制御エンティティ８２０は、スケジューリング要求を受信し、スケジューリング要求に基づいてスケジューリング許可を伝送するように構成される。ＨＡＲＱエンティティ８４０は、ＨＡＲＱプロトコルに関連するＭＡＣ機能を処理する。ＨＡＲＱエンティティ８４０は、複数のＨＡＲＱプロセスをサポートするように構成される。各ＨＡＲＱプロセスは、Ｅ−ＤＣＨ伝送の配信状態を指示するＡＣＫおよびＮＡＣＫを生成することに責任を負う。
【００４９】
既存のＵＴＲＡＮ  ＭＡＣ−ｅとは対照的に、多重分離機能はＵＴＲＡＮ拡張ＭＡＣ−ｅ８００から削除される。代わりに、多重分離機能は拡張ＭＡＣ−ｅｓ内に存在する。その結果、多重分離機能と再アセンブリ機能はいずれも、拡張ＭＡＣ−ｅｓで実行される。
【００５０】
図９はＵＴＲＡＮ拡張ＭＡＣ−ｅｓ９００を示すブロック図である。図９に示されるＵＴＲＡＮ拡張ＭＡＣ−ｅｓ９００は、再配列キュー配信エンティティ９１０、再配列／結合エンティティ９２０、逆アセンブリエンティティ９３０、再アセンブリエンティティ９４０、および、多重分離エンティティ９５０を備える。拡張ＭＡＣ−ｅｓ９００は、ＳＲＮＣ内に配置され、ＮｏｄｅＢの拡張ＭＡＣ−ｅでカバーされないＥ−ＤＣＨ指定機能を処理する。拡張ＭＡＣ−ｅｓ９００は、ＭＡＣ−ｅとＭＡＣ−ｄの両方に接続される。
【００５１】
再配列キュー配信エンティティ９１０は、拡張ＭＡＣ−ｅｓ  ＰＤＵを、ＳＲＮＣ構成に基づいて、正しい再配列バッファにルーティングするように構成される。
【００５２】
再配列／結合エンティティ９２０は、受信したＴＳＮおよびＮｏｄｅＢタグに従って、受信した拡張ＭＡＣ−ｅｓ  ＰＤＵを再配列するように構成される。ＮｏｄｅＢタグはＣＦＮまたはサブフレーム番号を含むことができる。拡張ＭＡＣ−ｅｓ  ＰＤＵを受信した後、連続するＴＳＮを持つ拡張ＭＡＣ−ｅｓ  ＰＤＵは、逆アセンブリエンティティ９３０に配信される。各論理チャネルは再配列／結合エンティティ９２０を有する。順序が乱れて受信される拡張ＭＡＣ−ｅｓ  ＰＤＵは、当業者には明らかな多数の方法で再配列されてもよい。
【００５３】
逆アセンブリエンティティ９３０は、拡張ＭＡＣ−ｅｓ  ＰＤＵを逆アセンブルするように構成される。拡張ＭＡＣ−ｅｓ  ＰＤＵの逆アセンブリは、拡張ＭＡＣ−ｅｓヘッダーの削除を含む。逆アセンブルされた拡張ＭＡＣ−ｅｓ  ＰＤＵは、複数のＭＡＣ  ＳＤＵ、またはそのセグメントを含むことができる。
【００５４】
上記で説明されている再アセンブリエンティティ９４０は、セグメントに分割されたＭＡＣ  ＳＤＵを再アセンブルして、ＭＡＣ  ＳＤＵを正しい上位レイヤエンティティに配信するように構成される。再アセンブリエンティティ９４０は、再配列／結合エンティティ９２０に結合される。再アセンブリエンティティ９４０は、セグメントに分割されたＭＡＣ  ＳＤＵを再アセンブルして、マクロダイバーシティ再配列／結合が実行された後、それらの再アセンブルされたＳＤＵを正しい上位レイヤエンティティに配信するように構成される。その結果、再アセンブリエンティティ９４０によって受信されたパケットは順序正しくなっており、セグメントに分割されている場合は、再結合されてもよい。
【００５５】
代替的実施形態において、再アセンブリエンティティ９４０はさらに、拡張ＭＡＣ−ｅｓ  ＰＤＵを逆アセンブルするように構成される。その結果、別個の逆アセンブリエンティティ９３０は、必要とされなくてもよい。
【００５６】
多重分離エンティティ９５０は、拡張ＭＡＣ−ｅ  ＰＤＵを含む論理チャネルを多重分離するように構成される。
【００５７】
ＵＴＲＡＮ拡張ＭＡＣ−ｅｓ９００はさらに、複数のＮｏｄｅＢとのソフトハンドオーバーがあるとき、ＦＤＤモードのマクロダイバーシティ選択エンティティを備える。その結果、再配列／結合エンティティ９２０は、Ｅ−ＤＣＨアクティブセットの各ＮｏｄｅＢから拡張ＭＡＣ−ｅｓ  ＰＤＵを受信する。
【００５８】
図１０は、第３実施形態によるＷＴＲＵ拡張ＭＡＣ−ｅ／ｅｓ１０００を示すブロック図である。ＷＴＲＵ拡張ＭＡＣ−ｅ／ｅｓ１０００は、ＨＡＲＱエンティティ１０１０、多重化およびＴＳＮ設定エンティティ１０２０、Ｅ−ＴＦＣ選択エンティティ１０３０、並びに、セグメンテーションおよびシーケンス番号（ＳＮ）設定エンティティ１０４０を備える。上記で説明されている第１および第２実施形態とは対照的に、単一のセグメンテーションエンティティであるセグメンテーションおよびＳＮ設定エンティティ１０４０がすべての論理チャネルに使用される。図１０に示されるように、セグメンテーションおよびＳＮ設定エンティティ１０４０は多重化およびＴＳＮ設定エンティティ１０２０の後に配置される。
【００５９】
セグメンテーションおよびＳＮ設定エンティティ１０４０は、Ｅ−ＴＦＣ選択エンティティによって指示されたように、ＳＤＵが大きすぎて選択された拡張ＭＡＣ−ｅペイロードに収まらない場合、多重化されたＭＡＣ  ＳＤＵをセグメントに分割するように構成される。後続の伝送について、Ｅ−ＴＦＣ選択エンティティ１０３０によって指示されたように、ＭＡＣ  ＳＤＵの残りのセグメントが大きすぎて選択された拡張ＭＡＣ−ｅペイロードに収まらない場合、この残りのセグメントは再びセグメントに分割されてもよい。さらに、セグメンテーションおよびＳＮ設定エンティティ１０４０は、論理チャネルの残りのペイロードに基づいて、多重化されたＭＡＣ  ＳＤＵをセグメントに分割してもよい。
セグメンテーションおよびＳＮ設定エンティティ１０４０は、すべての論理チャネルに対して多重化されたＭＡＣ  ＳＤＵをセグメントに分割することができる。
【００６０】
セグメンテーションおよびＳＮ設定エンティティ１０４０は、多重化されたＭＡＣ  ＳＤＵのセグメンテーション後に、ＭＡＣ  ＳＤＵのセグメントを格納するように構成されたバッファを備えることができる。多重化されたＭＡＣ  ＳＤＵのセグメンテーション後、多重化されたＭＡＣ  ＳＤＵのセグメントは伝送され、残りのセグメントは後続のＴＴＩで伝送するためにバッファに格納される。
【００６１】
セグメンテーションおよびＳＮ設定エンティティ１０４０はさらに、セグメントに分割されて多重化されたＭＡＣ  ＳＤＵのＳＮを含むように構成されてもよい。ＳＮを含めることにより、ＵＴＲＡＮが多重分離の前にセグメントを再配列できるようにしてもよい。
しかし、セグメントに分割されて多重化されたＭＡＣ  ＳＤＵのＳＮの包含はオプションである。さらに、ＵＴＲＡＮは、ＨＡＲＱエンティティ１０１０によってもたらされた情報に基づいてセグメントを再配列することができる。
【００６２】
図１１は、ＷＴＲＵにおける拡張ＭＡＣ−ｅ／ｅｓサブレイヤのセグメンテーションの方法を示す。現在作成されている拡張ＭＡＣ−ｅｓ  ＰＤＵの選択されたペイロードに対して大きすぎるＭＡＣ  ＳＤＵが上位レイヤから受信されるとき、ＭＡＣ  ＳＤＵは、ブロック１１０１に示されるようにセグメントに分割される。ＭＡＣ  ＳＤＵまたはＭＡＣ  ＳＤＵのセグメントは、ブロック１１０３に指示されるように、連結されて拡張ＭＡＣ−ｅｓを作成する。拡張ＭＡＣ−ｅｓ  ＰＤＵが作成されている間、上位レイヤから受信されたＭＡＣ  ＳＤＵは、ブロック１１０５に示されるように、現在作成されている拡張ＭＡＣ−ｅｓを満たすようにセグメントに分割されてもよい。現在作成されている拡張ＭＡＣ−ｅｓ  ＰＤＵの残りのペイロードが、上位レイヤから受信されたＭＡＣ  ＳＤＵよりも小さい場合、受信されたＭＡＣ  ＳＤＵは、受信されたＭＡＣ  ＳＤＵのセグメントが現在作成されている拡張ＭＡＣ−ｅｓ  ＰＤＵで使用可能な残りのペイロードを満たすようにセグメントに分割されてもよい。次いで、ブロック１１０７に示されるように、複数の拡張ＭＡＣ−ｅｓ  ＰＤＵが、単一の拡張ＭＡＣ−ｅ  ＰＤＵに多重化される。拡張ＭＡＣ−ｅ  ＰＤＵは、ＭＡＣ  ＳＤＵまたはそのセグメントを含むことができる。次いで、拡張ＭＡＣ−ｅ  ＰＤＵは、ブロック１１０９に示されるように、次のＴＴＩにおいて伝送される。拡張ＭＡＣ−ｅ  ＰＤＵの伝送でエラーが検出される場合、ブロック１１１１に示されるように、ＨＡＲＱプロセスは、正常な伝送が行なわれるまで拡張ＭＡＣ−ｅ  ＰＤＵを再伝送する。
【００６３】
さらなる実施形態において、ＭＡＣ−ｄサブレイヤは、セグメンテーションエンティティを備える。ＭＡＣ−ｄのセグメンテーションエンティティは、ＭＡＣサブレイヤにおいて実行されたＥ−ＴＦＣ選択に基づいてＲＬＣ  ＰＤＵをセグメントに分割するように構成される。セグメントに分割されたＲＬＣ  ＰＤＵのＭＡＣ−ｄヘッダーは、セグメンテーション関連情報を含むことができる。例えば、ＭＡＣ−ｄヘッダーは、セグメンテーションインジケータを含むことができる。さらに、ＭＡＣ−ｄヘッダーは、セグメントに分割されたＲＬＣ  ＰＤＵを備えるセグメントの数、またはさらに多くのセグメントが期待されるかどうかに関する情報を含むことができる。
【００６４】
さらなる実施形態において、拡張ＭＡＣ−ｅｓサブレイヤは、複数の論理チャネルをＭＡＣ−ｄフローに多重化するように構成される。その結果、拡張ＭＡＣ−ｅｓ  ＰＤＵは、同じＭＡＣ−ｄフローに属している異なる論理チャネルからのＭＡＣ  ＳＤＵを含むことができる。
【００６５】
加えて、拡張ＭＡＣ−ｅｓサブレイヤはさらに、論理チャネルではなく、ＭＡＣ−ｄフローのセグメンテーションおよびＴＳＮ番号付けを実行するように構成される。その結果、ＭＡＣ−ｄフローは、拡張ＭＡＣ−ｅサブレイヤで共に多重化されてもよい。
【００６６】
このようにして、ＵＴＲＡＮ拡張ＭＡＣ−ｅは、拡張ＭＡＣ−ｅ  ＰＤＵを拡張ＭＡＣ−ｅｓ  ＰＤＵに多重分離し、拡張ＭＡＣ−ｅｓ  ＰＤＵを適切なＭＡＣ−ｄフローに方向付けることに責任を負う。さらに、ＵＴＲＡＮ拡張ＭＡＣ−ｅｓの責任が変更される。
例えば、拡張ＭＡＣ−ｅｓ  ＰＤＵの再配列は、これ以降、ＭＡＣ−ｄフローに対して実行される。次に、拡張ＭＡＣ−ｅｓ  ＰＤＵは、上記で説明されているように、再アセンブルおよび／または逆アセンブルされる。次いで、拡張ＭＡＣ−ｅｓにおける多重分離エンティティが、拡張ＭＡＣ−ｅｓ  ＰＤＵをＭＡＣ  ＳＤＵに多重分離しおよびＭＡＣ  ＳＤＵを正しい論理チャネルにルーティングするために構成される。
【００６７】
特徴および要素は特定の組み合わせで上記で説明されるが、各々の特徴または要素は、他の特徴および要素を用いることなく単独で使用するか、または他の特徴および要素の有無にかかわらず種々の組み合わせで使用することができる。本明細書において提供される方法または流れ図は、汎用コンピュータまたはプロセッサによって実行するためにコンピュータ可読記憶媒体に組み込まれたコンピュータプログラム、ソフトウェア、またはファームウェアにおいて実施することができる。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、磁気光学媒体、ＣＤ−ＲＯＭディスクおよびデジタル多用途ディスク（ＤＶＤ）などの光媒体を含む。
【００６８】
適切なプロセッサは、例として、汎用プロセッサ、特殊用途プロセッサ、標準的なプロセッサ、デジタルシグナルプロセッサ（ＤＳＰ）、複数のマイクロプロセッサ、ＤＳＰコアと関連する１つもしくは複数のマイクロプロセッサ、コントローラ、マイクロコントローラ、特殊用途向け集積回路（ＡＳＩＣ）、フィールドプログラマブルゲートアレイ（ＦＰＧＡ：Field Programmable Gate Array）回路、任意の他のタイプの集積回路（ＩＣ）、および／または状態機械を含む。
【００６９】
ソフトウェアと関連するプロセッサは、無線送受信ユニット（ＷＴＲＵ）、ユーザ機器（ＵＥ）、端末、基地局、無線ネットワークコントローラ（ＲＮＣ）、または任意のホストコンピュータにおいて使用する無線周波数送受信機を実施するために使用することができる。ＷＴＲＵは、カメラ、ビデオカメラモジュール、テレビ電話、スピーカーホン、振動装置、スピーカー、マイクロホン、テレビ送受信機、ハンドフリーヘッドセット、キーボード、ブルートゥース（登録商標）モジュール、周波数変調（ＦＭ）無線装置、液晶ディスプレイ（ＬＣＤ）表示装置、有機発光ダイオード（ＯＬＥＤ：organic light-emitting diode）表示装置、デジタル音楽プレイヤー、メディアプレイヤー、テレビゲームプレイヤーモジュール、インターネットブラウザ、および／または任意の無線ローカルエリアネットワーク（ＷＬＡＮ）もしくはＵｌｔｒａ  Ｗｉｄｅ  Ｂａｎｄ（ＵＷＢ）モジュールなどのハードウェアおよび／またはソフトウェアで実施されるモジュールと共に使用することができる。
【００７０】
種々実施形態
１．拡張メディアアクセス制御ｅ／ｅｓ（ＭＡＣ−ｅ／ｅｓ）を備える無線送信／受信ユニット（ＷＴＲＵ）。
２．拡張ＭＡＣ−ｅ／ｅｓは、
少なくとも１つのＭＡＣサービスデータユニット（ＳＤＵ）をセグメントに分割するように構成された論理チャネル当たり少なくとも１つのセグメンテーションエンティティを備える、実施形態１に記載のＷＴＲＵ。
３．ＭＡＣ  ＳＤＵが大きすぎて論理チャネルの選択されたペイロードサイズに収まらない場合、選択されたＭＡＣ  ＳＤＵはセグメントに分割される、実施形態１および２のいずれかに記載のＷＴＲＵ。
４．少なくとも１つのＭＡＣ  ＳＤＵまたはＭＡＣ  ＳＤＵのセグメントを少なくとも１つの拡張ＭＡＣ−ｅｓプロトコルデータユニット（ＰＤＵ）に連結して、少なくとも１つの拡張ＭＡＣ−ｅｓ  ＰＤＵを１つの拡張ＭＡＣ−ｅ  ＰＤＵに多重化するように構成された多重化および伝送シーケンス番号（ＴＳＮ）設定エンティティをさらに備える、実施形態１〜３のいずれかに記載のＷＴＲＵ。
５．ＭＡＣ  ＳＤＵまたはセグメントに分割されたＭＡＣ  ＳＤＵが拡張ＭＡＣ−ｅｓ  ＰＤＵを満たすように多重化およびＴＳＮ設定エンティティを制御して、次の伝送時間間隔（ＴＴＩ）の拡張ＭＡＣ−ｅ  ＰＤＵの伝送を制御するように構成された拡張トランスポートフォーマットコンビネーション（Ｅ−ＴＦＣ）選択エンティティをさらに備える、実施形態１〜４のいずれかに記載のＷＴＲＵ。
６．少なくとも１つの拡張ＭＡＣ−ｅペイロードを格納して伝送するように構成されたハイブリッド自動再送要求（ＨＡＲＱ）エンティティをさらに備える、実施形態１〜５のいずれかに記載のＷＴＲＵ。
７．ＭＡＣ  ＳＤＵはＭＡＣ−ｄサブレイヤＰＤＵである、実施形態１〜８のいずれかに記載のＷＴＲＵ。
８．ＭＡＣ  ＳＤＵはＭＡＣ−ｃサブレイヤＰＤＵである、実施形態１〜７のいずれかに記載のＷＴＲＵ。
９．ＭＡＣ  ＳＤＵは無線リンク制御（ＲＬＣ）ＰＤＵである、実施形態１〜８のいずれかに記載のＷＴＲＵ。
１０．少なくとも１つのセグメンテーションエンティティは、
選択されたペイロードには含まれない残りのＭＡＣ  ＳＤＵセグメントを格納するように構成された少なくとも１つのバッファをさらに備える、実施形態１〜９のいずれかに記載のＷＴＲＵ。
１１．１つのバッファはすべてのセグメンテーションエンティティに関連付けられている、実施形態１〜１０のいずれかに記載のＷＴＲＵ。
１２．セグメンテーションエンティティに格納されたＭＡＣ  ＳＤＵセグメントは、論理チャネルから受信されたＭＡＣ  ＳＤＵよりも高い優先順位で処理される、実施形態１〜１１のいずれかに記載のＷＴＲＵ。
１３．少なくとも１つのＭＡＣサービスデータユニット（ＳＤＵ）をセグメントに分割するステップであって、少なくとも１つのＭＡＣ  ＳＤＵが大きすぎて論理チャネルの選択されたペイロードサイズに収まらない場合、少なくとも１つのＭＡＣ  ＳＤＵはセグメントに分割されるステップを有する無線送信／受信ユニット（ＷＴＲＵ）における方法。
１４．少なくとも１つのＭＡＣ  ＳＤＵを少なくとも１つの拡張ＭＡＣ−ｅｓプロトコルデータユニット（ＰＤＵ）に連結するステップをさらに有する、実施形態１３に記載の方法。
１５．セグメントに分割されたＭＡＣ  ＰＤＵのセグメントが現在作成されている拡張ＭＡＣ−ｅｓ  ＰＤＵを満たすように拡張ＭＡＣ−ｅｓ  ＰＤＵを作成するステップをさらに有する、実施形態１３および１４のいずれかに記載の方法。
１６．少なくとも１つの拡張ＭＡＣ−ｅｓ  ＰＤＵを１つの拡張ＭＡＣ−ｅ  ＰＤＵに多重化するステップをさらに有する、実施形態１３〜１５のいずれかに記載の方法。
１７．次の伝送時間間隔（ＴＴＩ）に拡張ＭＡＣ−ｅ  ＰＤＵを伝送するステップをさらに有する、実施形態１３〜１６のいずれかに記載の方法。
１８．伝送エラーが発生したときに拡張ＭＡＣ−ｅ  ＰＤＵを再伝送するステップをさらに有する、実施形態１３〜１７のいずれかに記載の方法。
１９．選択されたペイロードには含まれない残りのＭＡＣ  ＳＤＵセグメントを少なくとも１つのバッファに格納するステップをさらに有する、実施形態１３〜１８のいずれかに記載の方法。
２０．セグメンテーションエンティティを各論理チャネルに関連付けるステップであって、バッファは関連付けられた論理チャネルからのＭＡＣ  ＳＤＵセグメントを格納するように構成されるステップをさらに有する、実施形態１３〜１９のいずれかに記載の方法。
２１．すべての論理チャネルからのセグメントに分割されたＭＡＣ  ＳＤＵを１つのバッファに格納するステップをさらに有する、実施形態１３〜２０のいずれかに記載の方法。
２２．バッファに格納されたＭＡＣ  ＳＤＵセグメントに、上位レイヤから受信されたＭＡＣ  ＳＤＵよりも高い優先順位を割り当てるステップをさらに有する、実施形態１３〜２１のいずれかに記載の方法。
２３．セグメントに分割するステップは多重化の前に行なわれる、実施形態１３〜２２のいずれかに記載の方法。
２４．ＭＡＣ  ＳＤＵの残りのセグメントが選択されたペイロードに対して引き続き大きすぎるとき、ＭＡＣ  ＳＤＵのセグメントを再度セグメントに分割するステップをさらに有する、実施形態１３〜２３のいずれかに記載の方法。
２５．バッファのペイロードが使い果たされた後にさらに多くの情報を論理チャネルに要求するステップをさらに有する、実施形態１３〜２４のいずれかに記載の方法。
２６．拡張ＭＡＣ−ｅｓ  ＰＤＵに連結された論理チャネル当たりのセグメントに分割されたＭＡＣ  ＳＤＵの数を２に制限するステップをさらに有する、実施形態１３〜２５のいずれかに記載の方法。
２７．最後の論理チャネルのみがＭＡＣ  ＳＤＵをセグメントに分割するように構成される、実施形態１３〜２６のいずれかに記載の方法。
２８．セグメントが含まれることを受信機に指示するために、セグメンテーション記述を作成された拡張ＭＡＣ−ｅｓ  ＰＤＵに含めるステップをさらに有する、実施形態１３〜２７のいずれかに記載の方法。
２９．セグメンテーションは選択された論理チャネルに対して構成されない、実施形態１３〜２８のいずれかに記載の方法。
３０．伝送シーケンス番号付けは選択された論理チャネルに対して構成されない、実施形態１３〜２９のいずれかに記載の方法。
３１．再配列は選択された論理チャネルに対してＵＴＲＡＮで構成されない、実施形態１３〜３０のいずれかに記載の方法。
３２．逆アセンブリは、拡張ＭＡＣ−ｅｓ  ＰＤＵがＭＡＣ  ＳＤＵセグメントを含む場合に限り行なわれる、実施形態１３〜３１のいずれかに記載の方法。
３３．セグメンテーションは論理チャネルごとに構成される、実施形態１３〜３２のいずれかに記載の方法。
３４．セグメンテーションはＭＡＣ−ｄサブレイヤフローごとに構成される、実施形態１３〜３３のいずれかに記載の方法。
３５．セグメンテーションは全拡張ＭＡＣ−ｅ／ｅｓサブレイヤに対して構成される、実施形態１３〜３４のいずれかに記載の方法。
３６．拡張メディアアクセス制御−ｅｓ（ＭＡＣ−ｅｓ）レイヤを備える無線送信／受信ユニット（ＷＴＲＵ）。
３７．多重化および伝送シーケンス番号（ＴＳＮ）設定エンティティをさらに備える、実施形態３６に記載のＷＴＲＵ。
３８．多重化およびＴＳＮ設定エンティティは、
ＭＡＣ  ＳＤＵが大きすぎて選択されたペイロードに収まらないとき、ＭＡＣ  ＳＤＵをセグメントに分割するように構成されたセグメンテーションエンティティをさらに備える、実施形態３６および３７のいずれかに記載のＷＴＲＵ。
３９．セグメンテーションエンティティは、  ＭＡＣ  ＳＤＵの残りのセグメントを格納するための複数のバッファをさらに備え、各バッファは論理チャネルに関連付けられている、実施形態３６〜３８のいずれかに記載のＷＴＲＵ。
４０．セグメンテーションエンティティは、  ＭＡＣ  ＳＤＵの残りのセグメントを格納するように構成されたバッファをさらに備え、バッファはすべての論理チャネルに関連付けられている、実施形態３６〜３９のいずれかに記載のＷＴＲＵ。
４１．セグメンテーションエンティティは、ＭＡＣ  ＳＤＵが最小ＭＡＣ  ＳＤＵサイズを超えるときに限り、ＭＡＣ  ＳＤＵをセグメントに分割するように構成される、実施形態３６〜４０のいずれかに記載のＷＴＲＵ。
４２．セグメンテーションエンティティは、結果として生じるセグメントが最小セグメントサイズよりも大きいときに限り、ＭＡＣ  ＳＤＵをセグメントに分割するように構成される、実施形態３６〜４１のいずれかに記載のＷＴＲＵ。
４３．セグメンテーションエンティティは、最大セグメントサイズよりも大きいセグメントを作成しないようにさらに構成される、実施形態３６〜４２のいずれかに記載のＷＴＲＵ。
４４．メディアアクセス制御（ＭＡＣ）サービスデータユニット（ＳＤＵ）セグメントを完全ＭＡＣ  ＳＤＵに再アセンブルするように構成された再アセンブリエンティティを備える無線ネットワークコントローラ（ＲＮＣ）。
４５．拡張ＭＡＣ−ｅｓプロトコルデータユニット（ＰＤＵ）またはそのセグメントを伝送シーケンス番号により再配列するように構成されたマクロダイバーシティ結合および再配列エンティティをさらに備える、実施形態４４に記載のＲＮＣ。
４６．連結された拡張ＭＡＣ−ｅｓ  ＰＤＵを逆アセンブルするための逆アセンブリエンティティをさらに備える、実施形態４４および４５のいずれかに記載のＲＮＣ。
４７．再アセンブリエンティティはまた逆アセンブリも実行する、実施形態４４〜４６のいずれかに記載のＲＮＣ。
４８．多重分離エンティティをさらに備える、実施形態４４〜４７のいずれかに記載のＲＮＣ。
４９．伝送エラーが発生したとき、拡張ＭＡＣ−ｅ  ＰＤＵを再伝送するように構成されたハイブリッド自動再送要求（ＨＡＲＱ）エンティティを備えるＮｏｄｅＢ。
５０．拡張トランスポートフォーマットコンビネーション（Ｅ−ＴＦＣ）選択エンティティをさらに備える、実施形態４９に記載のＮｏｄｅＢ。
５１．拡張ＭＡＣ−ｅ  ＰＤＵを多重分離するように構成された多重分離エンティティをさらに備える、実施形態４９および５０のいずれかに記載のＮｏｄｅＢ。
５２．Ｌ３シグナリングを通じてセグメンテーションを構成するステップを備えるメディアアクセス制御（ＭＡＣ）レイヤにおけるパケットセグメンテーションの方法。
５３．ＣＥＬＬ−ＤＣＨ以外が使用不可である状態に関連付けられているＭＡＣ  ＳＤＵをセグメントに分割するステップをさらに有する、実施形態５２に記載の方法。
５４．セグメンテーションはスケジューリング対象のフローに対してのみ構成される、実施形態５２および５３のいずれかに記載の方法。
５５．セグメンテーションはスケジューリング対象外のフローに対してのみ構成される、実施形態５２および５３のいずれかに記載の方法。
【図１】
0005576444.tif 000002
【図２】
0005576444.tif 000003
【図３】
0005576444.tif 000004
【図４】
0005576444.tif 000005
【図５】
0005576444.tif 000006
【図６】
0005576444.tif 000007
【図７】
0005576444.tif 000008
【図８】
0005576444.tif 000009
【図９】
0005576444.tif 000010
【図１０】
0005576444.tif 000011
【図１１】
0005576444.tif 000012